(57)【要約】      （修正有）【課題】低コストで、かつ容易に計数することが可能なおしぼりを提供する。【解決手段】タオル地の布で形成され、水分を浸み込ませた本体部４と、本体部の周縁部またはその近傍に、袋状の収容部８の開口部を閉じるように縫い付けられたタグと、タグの収容部内に収容されたＩＣタグとを備える。また、タグには標章が表示されており、さらに、ＩＣタグは、冷蔵庫内の温度に対する耐熱性、洗濯で使用する薬剤に対する耐薬剤性及び防水性を有する。【選択図】図１
2018036767.tif 000002
【特許請求の範囲】
【請求項１】
タオル地の布で形成され、水分を浸み込ませた本体部と、
前記本体部の周縁部またはその近傍に、袋状の収容部の開口部を閉じるように縫い付けられたタグと、
前記タグの前記収容部内に収容されたＩＣタグと
を備えることを特徴とするおしぼり。
【請求項２】
前記タグは、標章が表示されていることを特徴とする請求項１記載のおしぼり。
【請求項３】
前記ＩＣタグは、冷温庫内の温度に対する耐熱性、洗濯で使用する薬剤に対する耐薬剤性、及び防水性を有することを特徴とする請求項１または２記載のおしぼり。
【請求項４】
前記ＩＣタグは、ＰＥＴ板に貼付けられていることを特徴とする請求項１〜３の何れかに記載のおしぼり。
【発明の詳細な説明】
【技術分野】
【０００１】
本発明は、タオル地の布で形成されたおしぼりに関するものである。
【背景技術】
【０００２】
おしぼりを貸し出す貸出業者は、ビューティーサロンやショールーム等のユーザ毎に指定された数量のおしぼりを貸し出し、使用後に回収を行う。貸出業者により回収された使用済みおしぼりは、洗濯、消毒、及び包装された後に、再びユーザに貸し出される。ユーザに提供されるおしぼりの数については、おしぼりの配送段階においては正確に把握することができるが、使用済みおしぼりを回収する際には回収容器に投入された状態であるため、簡易に計数を行うことは困難であり、回収数を正確に把握できていなかった。
【０００３】
従来、おしぼりの回収数を正確に把握するため、貸しおしぼりに非接触式の識別素子を取り付け、読み取り装置で識別素子の情報を読み取ることで、貸出業者が納品数や回収数等の管理を行う貸し出し布製品の管理システムが存在する（例えば特許文献１参照）。
【先行技術文献】
【特許文献】
【０００４】
【特許文献１】特開２００５−２７５８５３号公報
【発明の概要】
【発明が解決しようとする課題】
【０００５】
しかし、特許文献１に記載の貸しおしぼりは、折り返し縁辺部内に識別素子としてのＩＣタグを縫い込む構成を採用していることから、貸しおしぼりの廃棄時にＩＣタグをとりはずして再利用することが困難であった。このため、おしぼりのコストが上がるという問題があった。
【０００６】
本発明の目的は、低コストで、かつ容易に計数することが可能なおしぼりを提供することである。
【課題を解決するための手段】
【０００７】
本発明のおしぼりは、タオル地の布で形成され、水分を浸み込ませた本体部と、前記本体部の周縁部またはその近傍に、袋状の収容部の開口部を閉じるように縫い付けられたタグと、前記タグの前記収容部内に収容されたＩＣタグとを備えることを特徴とする。
【０００８】
また、本発明のおしぼりは、前記タグに、標章が表示されていることを特徴とする。
【０００９】
また、本発明のおしぼりは、前記ＩＣタグが、冷温庫内の温度に対する耐熱性、洗濯で使用する薬剤に対する耐薬剤性、及び防水性を有することを特徴とする。
【００１０】
また、本発明のおしぼりは、前記ＩＣタグが、ＰＥＴ板に貼付けられていることを特徴とする。
【発明の効果】
【００１１】
本発明によれば、低コストで、かつ容易に計数することが可能なおしぼりを提供することができる。
【図面の簡単な説明】
【００１２】
【図１】本発明の実施の形態に係るおしぼりを示す図である。
【図２】本発明の実施の形態に係るおしぼりに縫い付けられる前のタグを示す図である。
【図３】本発明の実施の形態に係るおしぼりに縫い付けられたタグの拡大図である。
【図４】本発明の実施の形態に係るおしぼり計数装置を用いた使用済みおしぼりの計数について示す図である。
【発明を実施するための形態】
【００１３】
以下、図面を参照して本発明の実施の形態に係るおしぼりの計数方法について、ビューティーサロンやショールームで使用済みとなったおしぼりを貸出業者が回収する場合を例に説明する。図１は、本発明の実施の形態に係るおしぼりを示す図である。図１に示すように、おしぼり２は、矩形状のタオル地の布で形成され、周縁部６が三つ折りされ、ミシンで縫製処理された本体部４を有している。本体部４には、水分が浸み込ませてある。本体部４の周縁部６には、平面視矩形状であり、おしぼりの生産者を表示する標章が表示されている布製のタグ８の一辺が縫い付けられている。
【００１４】
図２は、本発明の実施の形態に係るおしぼりに縫い付けられる前のタグを示す図である。タグ８は、左右端がミシンで縫製処理され、上側だけが開いた状態の袋状に形成されている。タグ８の開いた上側から、各おしぼりを識別する識別情報が書き込まれたＩＣタグ１０が投入され、収容される。
【００１５】
図３は、本発明の実施の形態に係るおしぼりに縫い付けられたタグの拡大図である。なお、図３では、タグに表示された標章については記載を省略した。タグ８は袋状に形成されており、その内部には、各おしぼりを識別する識別情報が書き込まれたＩＣタグ１０が収容されている。即ち、タグ８は、内部にＩＣタグ１０を収容し、その開口部を閉じるようにおしぼり２の周縁部６に縫い付けられている。
【００１６】
ＩＣタグ１０としては、特に限定されないが、外部から送信される電波信号に基いて内部に情報を記録したり、記録された情報を外部に対して電波信号として出力したりできる構成のいわゆるＲＦＩＤを用いることが好ましく、中でも内部に電池を設ける必要のない無電池方式のものを用いることが好ましい。
【００１７】
ＩＣタグ１０は、おしぼり２に用いることから、冷温庫内の温度に対する耐熱性、並びに、洗濯で使用する薬剤に対する耐薬剤性、及び防水性を備えることが好ましい。ＩＣタグ１０に耐薬剤性、及び防水性を付与するため、有機樹脂等で封止することが好ましく、有機樹脂としては例えばシリコーン樹脂を挙げることができる。
【００１８】
また、ＩＣタグ１０は折り曲げ等の力に耐性を持たせるため、例えばＰＥＴ板に貼付けて用いることができる。ＩＣタグ１０にＰＥＴ板を貼付けて用いることにより、機械的強度が確保されるため、ＩＣタグ１０を構成するＩＣチップの破損や、アンテナの断線等を効果的に防止することができる。
【００１９】
本発明に用いるＩＣタグ１０は、使用可能な温度範囲が、−３０℃〜１１０℃のものが好ましい。使用可能な温度範囲が上記範囲であれば、おしぼり２を冷凍した場合であっても、温度が低すぎることによりＩＣタグ１０が壊れることがない。また、使用可能な温度範囲が上記範囲であれば、おしぼり２を煮沸した場合であっても、温度が高すぎることによりＩＣタグ１０が壊れることがない。
【００２０】
なお、本発明に用いるＩＣタグ１０の温度範囲の上限値としては１１０℃で十分であり、洗濯タグあるいはクリーニングタグに必要とされるアイロン耐熱（２００℃〜２５０℃）は不要である。したがって、本発明においては、洗濯タグやクリーニングタグより、安価なＩＣタグを用いることができる。
【００２１】
図４は、実施の形態に係るおしぼり計数装置を用いた使用済みおしぼりの計数について示す図である。図４に示すように、おしぼり計数装置１２は、回収した使用済みおしぼり２を収容した容器１４を載置する容器載置部１６、アンテナ１８、制御部２０、及び表示部２２を備えている。
【００２２】
ここで、おしぼり計数装置１２としては、特に制限されず、市販のＩＣタグ読み取り装置等を用いることができる。なお、おしぼり計数装置は、ＩＣタグに種々の情報を書き込むことができる機能を有する装置であっても良い。
【００２３】
次に、実施の形態に係るおしぼり計数装置１２を用いた使用済みおしぼりの計数方法について説明する。ビューティーサロンやショールームで使用済みとなったおしぼり２は、ビューティーサロンやショールームの従業員が、容器１４に随時投入する。おしぼりの貸出業者は、使用済みおしぼり２を回収する際に、使用済みおしぼり２が投入された容器１４をおしぼり計数装置１２の容器載置部１６に載置する。容器１４が載置されると、制御部２０から給電されたアンテナ１８が電波を放射することで放射範囲にあるＩＣタグ１０から識別情報を読み取り、計数が行われる。計数が完了すると、容器１４内に投入されたおしぼりの数が表示部２２に表示される。
【００２４】
この実施の形態に係るおしぼりの計数方法によれば、おしぼり２に取り付けられたＩＣタグ１０内の識別情報をおしぼり計数装置１２を用いて読み取ることにより、容易に計数することができる。
【００２５】
また、本発明のおしぼり２は、おしぼりの廃棄時に、布製の袋状のタグ８を切り離すことによりＩＣタグ１０を簡単に取り出すことができ、再利用することができる。そのため、ＩＣタグ付きのおしぼりを低コストで提供することができる。
【００２６】
また、本発明のおしぼり２は、市販のタオルの周縁部６にＩＣタグ１０が収容された袋状のタグ８を縫い付けることにより、容易に製造することができる。
【００２７】
また、本発明のおしぼり２は、ＩＣタグ１０が袋状のタグ８の内部に収容された状態でおしぼり２に縫い付けられている。そのため、おしぼり２を使用する際に、ＩＣタグ１０が直接手や顔等の皮膚に触れず、使用時の使い心地が損なわれることがない。また、ＩＣタグ１０がおしぼり２の使用時や洗濯時等に脱落することがない。
【符号の説明】
【００２８】
２…おしぼり、４…本体部、６…周縁部、８…収容部、１０…ＩＣタグ、１２…おしぼり計数装置、１４…容器、１６…容器載置部、１８…アンテナ、２０…制御部、２２…表示部
【図１】
2018036767.tif 000003
【図２】
2018036767.tif 000004
【図３】
2018036767.tif 000005
【図４】
2018036767.tif 000006